(57)【要約】      （修正有）【課題】市町村同報系システムと市町村デジタル地区放送システムとを緊急放送に連動して、該緊急放送の内容を市町村デジタル地区放送システムにおいて放送するようにした場合でも、放送内容が失われることがないようにすることが可能な無線通信システムを提供する。【解決手段】市町村同報系システムからの通報を通知可能な地区放送システムにおいて、市町村同報系システムからの通報を録音可能な放送卓と、複数の戸別受信機に出力する基地局と、前記基地局からの音声通知を受信し、送信応答を前記放送卓へ送信すると共にスピーカから音声放送する戸別受信機と、を有し、市町村同報系システムからの通報を、前記放送卓を経由して前記基地局に通知し、使用可能な無線回線チャネルが全て使用中で放送できない場合に、放送内容を前記放送卓で録音しておき、無線回線チャネルを確保できた時点で前記録音している放送内容を再生する。【選択図】図１
2015082688.tif 000002
【特許請求の範囲】
【請求項１】
市町村同報系システムからの通報を通知可能な地区放送システムにおいて、
市町村同報系システムからの通報を録音可能な放送卓と、
複数の戸別受信機に出力する基地局と、
前記基地局からの音声通知を受信し、送信応答を前記放送卓へ送信すると共にスピーカから音声放送する戸別受信機と、
を有し、
市町村同報系システムからの通報を、前記放送卓を経由して前記基地局に通知し、使用可能な無線回線チャネルが全て使用中で放送できない場合に、放送内容を前記放送卓で録音しておき、無線回線チャネルを確保できた時点で前記録音している放送内容を再生することを特徴とする地区放送システム。
【請求項２】
請求項１記載の地区放送システムにおいて、放送が継続して５分以上の場合には、５分以上経過する前に使用している無線回線チャネルを一度切断すると共に、放送中の放送内容を録音しておき、無線回線チャネルが確保できた時点で前記録音した放送内容を再生することを特徴とする地区放送システム。
【請求項３】
請求項１または２に記載の地区放送システムにおいて、前記放送卓は、音声切替通知のタイミングと内容も保持することを特徴とする地区放送システム。
【請求項４】
請求項１乃至３に記載の地区放送システムにおいて、前記録音した放送内容は、放送内容のはじめから追い掛け再生することを特徴とする地区放送システム。
【請求項５】
請求項１乃至３に記載の地区放送システムにおいて、前記録音した放送内容は、放送内容の途中からリアルタイムで再生することを特徴とする地区放送システム。
【発明の詳細な説明】
【技術分野】
【０００１】
本発明は、異なる無線通信システムを接続して、一方の無線通信システムからの放送を他方の無線通信システムにおいて放送することのできる無線通信システムに関し、例えば、市町村同報系システムからの放送を市町村デジタル地区放送システムにおいて放送することのできる無線通信システムに関するものである。
【背景技術】
【０００２】
特許文献１には、異なる無線通信システムを接続して、一方の無線通信システムからの放送を他方の無線通信システムにおいて放送することができる無線通信システム、例えば、緊急災害時等において、市町村防災同報無線通信システムで行われる緊急放送に連動して、該緊急放送の内容を、地域振興無線通信システムにおいて放送することのできる無線通信システムが記載されている。
【先行技術文献】
【特許文献】
【０００３】
【特許文献１】特開２０１３−１５０２９７号公報
【発明の概要】
【発明が解決しようとする課題】
【０００４】
ところで、特許文献１における従来の地域振興無線通信システムは、決められた無線回線チャネルが割り振られるので、決められた無線回線チャネルを独占して使用し放送することができる。しかし、例えば、地域振興無線通信システムの代わりに市町村４値ＦＳＫ（Frequency  Shift  Keying）デジタル地区放送システムを市町村防災同報無線通信システムに接続した場合、市町村４値ＦＳＫデジタル地区放送システムが簡易無線のため、無線回線チャネルを誰でも使用することが可能である。そのため、放送に使おうとした無線回線チャネルを他で使用している場合には、放送を行うことが出来ない。
【０００５】
特許文献１では、地域振興無線通信システムにおいて、放送用に決められた無線回線チャネルが割り振られているので、無線回線のチャネル確保をしなくて良いが、市町村４値ＦＳＫデジタル地区放送システムでは、無線回線チャネルの確保が必要になる。そのため、市町村４値ＦＳＫデジタル地区放送システムで無線回線チャネルの確保が為されていない状態で、市町村防災同報無線通信システムからの放送が開始された場合には、市町村４値ＦＳＫデジタル地区放送システムにおける放送が途中からになってしまう。
【０００６】
また、市町村４値ＦＳＫデジタル地区放送システムは簡易無線であるため、５分以内に確保している無線回線チャネルを解放しなくてはならない。そのため、５分以上の放送の場合には、放送途中で無線回線チャネルを一旦解放し、再び無線回線チャネルを確保する必要があるので、無線回線チャネル解放と再確保の間の放送内容が失われてしまう。
つまり、市町村４値ＦＳＫデジタル地区放送システムにおいて、簡易無線のため無線回線チャネルを他で使用していた場合に、放送を最初から行うことが出来ないという問題があった。また、５分以上の放送時には、無線回線チャネルを一旦解放し、再確保する間にリアルタイムの放送を優先しないのであれば、放送内容が失われてしまうという問題があった。
【０００７】
本発明は、このような従来の事情に鑑みなされたものであり、市町村同報系システムと市町村デジタル地区放送システムとを接続し、市町村同報系システムで行われる緊急放送に連動して、該緊急放送の内容を市町村デジタル地区放送システムで放送するようにした場合でも、市町村デジタル地区放送システムにおいて放送内容が失われることがないようにすることが可能な無線通信システムの地区放送システムを提供することを目的とする。
【課題を解決するための手段】
【０００８】
上記目的を達成するための本発明に係る無線通信システムの地区放送システムは、市町村同報系システムからの通報を通知可能な地区放送システムにおいて、市町村同報系システムからの通報を録音可能な放送卓と、複数の戸別受信機に出力する基地局と、前記基地局からの音声通知を受信し、送信応答を前記放送卓へ送信すると共にスピーカから音声放送する戸別受信機と、を有し、市町村同報系システムからの通報を、前記放送卓を経由して前記基地局に通知し、使用可能な無線回線チャネルが全て使用中で放送できない場合に、放送内容を前記放送卓で録音しておき、無線回線チャネルを確保できた時点で前記録音している放送内容を再生することを特徴とする。
本発明によれば、その間の放送内容が放送可能となった時点で追い掛け放送することにより、その間の放送内容が放送されないまま失われてしまうことを防止することができる。
【０００９】
また、上記目的を達成するための本発明に係る無線通信システムの地区放送システムは、上記した地区放送システムにおいて、放送が継続して５分以上の場合には、５分以上経過する前に使用している無線回線チャネルを一度切断すると共に、放送中の放送内容を録音しておき、無線回線チャネルが確保できた時点で前記録音した放送内容を再生することを特徴とする。
本発明によれば、一定時間経過した後でも、放送内容が失われることの無いように放送を行うことができる。
【００１０】
また、上記目的を達成するための本発明に係る無線通信システムの地区放送システムは、上記した地区放送システムにおいて、前記放送卓は、音声切替通知のタイミングと放送内容も保持することを特徴とする。
【００１１】
また、上記目的を達成するための本発明に係る無線通信システムの地区放送システムは、上記した地区放送システムにおいて、前記録音した放送内容は、放送内容のはじめから追い掛け再生することを特徴とする。
【００１２】
また、上記目的を達成するための本発明に係る無線通信システムの地区放送システムは、上記した地区放送システムにおいて、前記録音した放送内容は、放送内容の途中からリアルタイムで再生することを特徴とする。
【発明の効果】
【００１３】
本発明によれば、市町村同報系システムと市町村デジタル地区放送システムとを接続し、市町村同報系システムで行われる緊急放送に連動して、該緊急放送の内容を市町村デジタル地区放送システムで放送するようにした場合でも、市町村デジタル地区放送システムにおいて放送内容が放送されないまま失われることがないようにすることができる。
【図面の簡単な説明】
【００１４】
【図１】本発明の実施形態１に係る無線通信システムの構成図である。
【図２】本発明の実施形態１に係る無線通信システムの放送卓の構成図である。
【図３】本発明の実施形態１に係る無線通信システムにおいて、市町村同報系システムからの放送時に、市町村デジタル地区放送システムの無線回線チャネルをすぐに確保できた場合の動作シーケンスを示す図である。
【図４】本発明の実施形態１に係る無線通信システムにおいて、市町村同報系システムからの放送時に、市町村デジタル地区放送システムの無線回線チャネルが使用中だった場合の動作シーケンスを示す図である。
【図５】本発明の実施形態２に係る無線通信システムにおいて、市町村同報系システムからの放送時に、市町村デジタル地区放送システムの無線回線チャネルをすぐに確保でき、５分以上の放送をする場合の動作シーケンスを示す図であり、放送のリアルタイム性を優先した場合を示す。
【図６】本発明の実施形態２に係る無線通信システムにおいて、市町村同報系システムからの放送時に、市町村デジタル地区放送システムの無線回線チャネルをすぐに確保でき、５分以上の放送をする場合の動作シーケンスを示す図であり、放送内容を優先した場合を示す。
【図７】本発明の実施形態２に係る無線通信システムにおいて、市町村同報系システムからの放送時に、市町村デジタル地区放送システムの無線回線チャネルが所定の時間経過後に確保でき、５分以上の放送をする場合の動作シーケンスを示す図であり、放送内容を優先した場合を示す。
【発明を実施するための形態】
【００１５】
＜実施形態１＞
以下、本発明の実施形態１に係る無線通信システムについて、図１を参照しながら説明する。図１は、本発明の実施形態１に係る無線通信システムの構成を示す図であり、市町村同報系システム３０と市町村デジタル地区放送システム７０とが統合され、連動するように構成された無線通信システムの構成例を示す図である。
本発明の実施形態１に係る無線通信システムは、市町村同報系システム３０の親局設備１０から送信された音声情報（放送）が屋外子局２０に送信され、屋外子局２０が拡声装置を用いて地域住民へ音声通報すると共に、当該音声情報が市町村デジタル地区放送システム７０の放送卓５２を経由して戸別受信機６０に送信され、当該戸別受信機６０の内蔵スピーカにより音声で報知される。また、市町村同報系システム３０からの音声情報（放送）送信時に、市町村デジタル地区放送システム７０においてチャネル確保ができない場合には、チャネル確保ができた時点から音声情報の再生を最初から行うようにすることにより、市町村デジタル地区放送システム７０において放送内容が失われることがないようにすることができる。
【００１６】
〔無線通信システムの構成〕
市町村同報系システム３０は、従来と同様の構成であって、緊急災害時における緊急情報や、日常の広報連絡事項等を無線送信するデジタル基地局１３を含む親局設備１０と、親局設備１０からの電波を受信して、緊急情報等を音声で出力する屋外子局２０とから構成されている。
【００１７】
親局設備１０は、通常、防災センター、市役所あるいは町村役場といった行政当局の建物内に設置されている。親局設備１０では、例えば、Ｊ−ＡＬＥＲＴ（全国瞬時警報システム）等の外部の情報源からの緊急地震速報などの緊急情報を受信し、該緊急情報等に基づき、操作部ＰＣ１１等で予め作成（蓄積）された音声信号をＬＡＮ回線１０１で接続された操作卓１２に送信する。当該操作卓１２から、音声回線１０２、シリアル回線１０３及びＤＩＯ（Digital  Input  Output）回線１０４等の有線で接続されたデジタル基地局１３に送信された音声信号は、デジタル信号に変換され、デジタル基地局１３の無線部から屋外子局２０に無線送信される。
また、親局設備１０の操作卓１２にはマイクやスピーカが設けられており、例えば、マイクから緊急情報が音声入力されると、該入力されたアナログ音声信号はデジタル基地局１３の制御部でデジタル信号に変換され、デジタル基地局１３の無線部から屋外子局２０に無線送信される。
【００１８】
屋外子局２０は、主に屋外に設置され、親局設備１０からの通報内容を受信して、拡声装置により音声で拡声放送する屋外拡声子局２０ａ、または、主に公民館や各家庭の屋内に設置され、デジタル基地局１３からの通報内容を受信して、内蔵スピーカにより音声で報知する戸別受信機２０ｂがある。
このように、親局設備１０が、緊急災害時における緊急情報や、日常の広報連絡事項等を無線送信すると、これを受信した屋外拡声子局２０ａは、拡声装置を用いて地域住民へ音声通報し、また、戸別受信機２０ｂは、内蔵スピーカにより報知するようになっている。
【００１９】
一方、市町村デジタル地区放送システム７０は、地域の産業振興や自治会の地域コミュニティを図ることを目的としたもので、各種通報を無線送信する基地局設備５０と、基地局設備５０からの電波を受信して、通報内容を内蔵スピーカにより音声で報知する戸別受信設備である戸別受信機６０と、戸別応答装置６２とから構成されている。
なお、市町村デジタル地区放送システム７０で用いられる無線信号は、例えば、周波数を偏移させることによりデジタルデータを送信することができる４値ＦＳＫ（Frequency  Shift  Keying）信号である。
【００２０】
基地局設備５０は、放送卓５２以外は従来の市町村デジタル地区放送システムの基地局設備と同様の構成であって、市町村デジタル地区放送システム７０の親局であり、遠隔地にいるオペレータによって電話機８０から公衆回線網３０１を介して操作され、各種の指令などを受け付ける遠隔操作装置５１と、遠隔操作装置５１とＬＡＮ回線２０１を介して接続され、オペレータにより操作されて各種の指令などを受け付ける放送卓５２と、デジタル基地局５３とを備えており、例えば、放送卓５２のマイクからオペレータにより通報内容が音声入力されると、該入力されたアナログ音声信号は、デジタル基地局５３でデジタル音声信号に変換され、戸別受信機６０に無線送信される。無線送信された音声信号を受信した戸別受信機６０は、内蔵スピーカにより報知する。
【００２１】
戸別受信機６０は、主に屋外に設置され、基地局設備５０からの通報内容を受信して、内蔵スピーカにより音声で報知する。
このように、基地局設備５０が、緊急災害時における緊急情報や、日常の広報連絡事項等を無線送信すると、これを受信した戸別受信機６０は、内蔵スピーカにより報知するようになっている。
【００２２】
また、市町村同報系システム３０の屋外子局２０と市町村デジタル地区放送システム７０の基地局設備５０の放送卓５２とは、音声回線２０２、シリアル回線２０３及びＤＩＯ回線２０４等の有線で接続されている。
なお、市町村同報系システム３０の屋外子局２０と市町村デジタル地区放送システム７０の基地局設備５０の放送卓５２とを無線により接続するよう構成することも可能である。
【００２３】
ここで、本発明の実施形態１に係る無線通信システムの特徴である放送卓５２について、図２を参照して詳細に説明する。
図２は、本発明の実施形態１に係る無線通信システムの放送卓の構成図である。
図２に示すように、放送卓５２は、音声入力を受け付けるマイク５２ｃ、音声出力を行うスピーカ５２ｄ、オペレータからの操作や各種入力を受付け、また、各種情報を表示する操作表示部５２ｅ、制御部５２ａ、記憶部５２ｂ等の各構成部を備え、デジタル基地局５３に、音声回線２０２、シリアル回線２０３及びＤＩＯ回線２０４等の有線で接続されている。
また、記憶部５２ｂは、制御部５２ａからの指示に基づき、市町村同報系システム３０の屋外子局２０から送信された放送内容を記憶する。
【００２４】
次に、本発明の実施形態１に係る無線通信システムにおいて、市町村同報系システム３０からの放送時に、市町村デジタル地区放送システム７０の無線回線チャネルをすぐに確保できた場合の動作シーケンスについて、図３を参照して説明する。
図３は、本発明の実施形態１に係る無線通信システムにおいて、市町村同報系システムからの放送時に、市町村デジタル地区放送システムの無線回線チャネルをすぐに確保できた場合の動作シーケンスを示す図である。
市町村同報系システム３０の親局設備１０の操作卓１２から、デジタル基地局１３に放送要求を通知する（Ｓ２０１）。
デジタル基地局１３は、屋外子局２０に放送要求を送信する（Ｓ２０２）。
屋外子局２０は、市町村デジタル地区放送システム７０の放送卓５２に放送要求を送信する（Ｓ２０３）。
放送卓５２は、屋外子局２０に放送要求応答を送信し（Ｓ２０４）、デジタル基地局５３に送信制御要求［チャネル確保］を送信する（Ｓ２０５）。
デジタル基地局５３は、放送卓５２に状態通知［確保中］を送信する（Ｓ２０６）。
放送卓５２は、状態を呼出中に遷移させ（Ｓ２０７）、遠隔操作装置５１に通報ステータス［呼出中］（Ｓ２０８）、屋外子局２０に放送ステータス通知［呼出中］を送信する（Ｓ２０９）。
【００２５】
デジタル基地局５３は、ＣＨ１でキャリアモニタリングを行い（Ｓ２１０）、チャネルが確保できた場合、放送卓５２に状態通知［チャネル確保］を送信する（Ｓ２１１）。
放送卓５２は、電文送信要求［放送開始］をデジタル基地局５３に送信する（Ｓ２１２）。
デジタル基地局５３は、戸別受信機６０に放送開始信号を送信し（Ｓ２１３）、放送卓５２に電文送信応答を送信する（Ｓ２１４）。
放送卓５２は、通報ステータス［放送可］を遠隔操作装置５１及び屋外子局２０に送信し（Ｓ２１５、Ｓ２１６）、デジタル基地局５３に電文送信要求［音声］を送信する（Ｓ２１７）。
デジタル基地局５３は、音声切替通知［音声］を戸別受信機６０に送信し（Ｓ２１８）、電文送信応答を放送卓に送信する（Ｓ２１９）。
戸別受信機６０は、スピーカを開く（Ｓ２２０）。
市町村同報系システム３０の親局設備１０は、音声切替が行われると（Ｔ２０１）、音声切替通知を屋外子局２０に送信する（Ｔ２０２）。
屋外子局２０は、音声切替通知を市町村デジタル地区放送システム７０の放送卓５２に送信する（Ｔ２０３）。
【００２６】
以上説明したように、本発明によれば、市町村同報系システム３０の親局設備１０から送信された音声情報（放送）が屋外子局２０に送信され、屋外拡声子局２０ａが拡声装置を用いて地域住民へ音声通報し、また、戸別受信機２０ｂが内蔵スピーカにより報知すると共に、当該音声情報が市町村デジタル地区放送システム７０の放送卓５２を経由して戸別受信機６０に送信され、当該戸別受信機６０の内蔵スピーカにより音声で報知することができる。
【００２７】
次に、本発明の実施形態１に係る無線通信システムにおいて、市町村同報系システム３０からの放送時に、市町村デジタル地区放送システム７０の無線回線チャネルが使用中だった場合の動作シーケンスについて、図４を参照して説明する。
図４は、本発明の実施形態１に係る無線通信システムにおいて、市町村同報系システムからの放送時に、市町村デジタル地区放送システムの無線回線チャネルが使用中だった場合の動作シーケンスを示す図である。
市町村同報系システム３０の親局設備１０の操作卓１２から、デジタル基地局１３に呼出要求を通知する（Ｓ１０１）。
デジタル基地局１３は、屋外子局２０に放送要求を送信する（Ｓ１０２）。
屋外子局２０は、市町村デジタル地区放送システム７０の放送卓５２に放送要求を送信する（Ｓ１０３）。
放送卓５２は、屋外子局２０に放送要求応答を送信し（Ｓ１０４）、デジタル基地局５３に送信制御要求［チャネル確保］を送信する（Ｓ１０５）。
デジタル基地局５３は、放送卓５２に状態通知［確保中］を送信する（Ｓ１０６）。
放送卓５２は、状態を呼出中に遷移させ（Ｓ１０７）、遠隔操作装置５１に通報ステータス［呼出中］（Ｓ１０８）、屋外子局２０に放送ステータス通知［呼出中］を送信する（Ｓ１０９）。
【００２８】
デジタル基地局５３は、ＣＨ１でキャリアモニタリングを行い（Ｓ１１０）、チャネルが受信ありの場合には、放送卓５２に状態通知［受信中］を送信し（Ｓ１１１）、次のチャネルＣＨ２のキャリアモニタリングを行う（Ｓ１１２）。
放送卓５２は、チャネル確保できていないと判断すると、市町村同報系システム３０からの放送内容を録音する。また、録音と同時に、音声切替通知のタイミングと内容も保持する（Ｓ１１３）。
デジタル基地局５３は、ＣＨ２もチャネルが受信ありの場合には、次のチャネルＣＨ３のキャリアモニタリングを行う（Ｓ１１４）。
デジタル基地局５３は、ＣＨ３もチャネルが受信ありの場合には、元に戻り、チャネルＣＨ１のキャリアモニタリングを再び行う（Ｓ１１５）。これを繰り返し行い、一定期間、確保できるチャネルが見つかるまで行う。
【００２９】
一方、市町村同報系システム３０の親局設備１０は、音声切替が行われると（Ｔ１０１）、音声切替通知を屋外子局２０に送信する（Ｔ１０２）。
屋外子局２０は、音声切替通知を市町村デジタル地区放送システム７０の放送卓５２に送信する（Ｔ１０３）。
放送卓５２は、録音中であれば、音声切替通知の情報とタイミングを保持する（Ｔ１０４）。
Ｓ１１５によるチャネルのキャリアモニタリングの結果、デジタル基地局５３でチャネル確保できた時点で、放送卓５２に状態通知［チャネル確保］を送信する（Ｓ１１６）。
放送卓５２は、電文送信要求［放送開始］をデジタル基地局５３に送信する（Ｓ１１７）。
デジタル基地局５３は、戸別受信機６０に放送開始信号を送信し（Ｓ１１８）、放送卓５２に電文送信応答を送信する（Ｓ１１９）。
放送卓５２は、通報ステータス［通報可］を遠隔操作装置５１及び屋外子局２０に送信し（Ｓ１２０）、デジタル基地局５３に電文送信要求［音声］を送信する（Ｓ１２１）。
デジタル基地局５３は、音声切替通知［音声］を戸別受信機６０に送信し（Ｓ１２２）、電文送信応答を放送卓５２に送信する（Ｓ１２３）。
戸別受信機６０は、スピーカを開く（Ｓ１２４）。
放送卓５２は、記憶部５２ｂに録音している放送内容を最初から再生する（Ｓ１２５）。また、音声切替通知も切り替わったタイミングで送信する。
【００３０】
以上説明したように、本発明によれば、市町村同報系システム３０の親局設備１０から送信された音声情報（放送）が屋外子局２０に送信され、屋外拡声子局２０ａが拡声装置を用いて地域住民へ音声通報し、また、戸別受信機２０ｂが内蔵スピーカにより報知すると共に、当該音声情報が市町村デジタル地区放送システム７０の放送卓５２を経由して戸別受信機６０に送信され、当該戸別受信機６０の内蔵スピーカにより音声で報知される。また、市町村同報系システム３０からの音声情報（放送）送信時に、市町村デジタル地区放送システム７０においてチャネル確保ができない場合には、チャネル確保ができた時点から音声情報の再生を最初から行うようにすることにより、市町村デジタル地区放送システム７０において放送内容が放送されないまま失われてしまうことがないようにすることができる。
尚、チャネル確保ができた時点からの音声情報の再生は、放送内容の途中からではあるが、リアルタイムで放送を継続して行ってもよい。
【００３１】
＜実施形態２＞
以下、本発明の実施形態２に係る無線通信システムについて、詳細に説明する。
なお、本発明の実施形態２に係る無線通信システムの構成は、本発明の実施形態１に係る無線通信システムの構成と同様である。
本発明の実施形態２に係る無線通信システムは、市町村同報系システム３０の親局設備１０から送信された音声情報（放送）が屋外子局２０に送信され、屋外拡声子局２０ａが拡声装置を用いて地域住民へ音声通報し、また、戸別受信機２０ｂが内蔵スピーカにより報知すると共に、当該音声情報が市町村デジタル地区放送システム７０の放送卓５２を経由して戸別受信機６０に送信され、当該戸別受信機６０の内蔵スピーカにより音声で報知される。また、市町村同報系システム３０からの音声情報（放送）送信時に、市町村デジタル地区放送システム７０においてチャネル確保ができない場合には、チャネル確保ができた時点から音声情報の再生を最初から行うようにすると共に、５分以上の放送時に、無線回線チャネルを一旦解放した場合でも、放送内容が失われることがないようにすることができる。
【００３２】
次に、本発明の実施形態２に係る無線通信システムにおいて、市町村同報系システム３０からの放送時に、市町村デジタル地区放送システム７０の無線回線チャネルをすぐに確保でき、５分以上の放送をする場合の動作シーケンスについて、図５を参照して説明する。
図５は、本発明の実施形態２に係る無線通信システムにおいて、市町村同報系システムからの放送時に、市町村デジタル地区放送システムの無線回線チャネルをすぐに確保でき、５分以上の放送をする場合の動作シーケンスを示す図であり、放送のリアルタイム性を優先した場合を示す。
なお、市町村同報系システム３０からの放送開始から放送５分経過前までのシーケンス（図５の一点鎖線内）は図３に示した動作シーケンスによる。
【００３３】
市町村デジタル地区放送システム７０では、チャネルを確保してから４分３０秒後に、放送卓５２からデジタル基地局５３に送信制御要求［チャネル再起動］を送信する（Ｓ３０１）。
デジタル基地局５３は、無線回線チャネルを解放し（Ｓ３０２）、放送卓５２に状態通知［確保中］を送信する（Ｓ３０３）。この時、チャネルを解放するため、音声は戸別受信機６０にはいかない。
デジタル基地局５３は、ＣＨ１でキャリアモニタリングを行い（Ｓ３０４）、無線回線チャネルを再確保できたら、放送卓５２に状態通知［チャネル確保］を送信する（Ｓ３０５）。
【００３４】
以上説明したように、本発明によれば、市町村同報系システム３０からの放送時に、市町村デジタル地区放送システム７０においてチャネル確保ができ、５分以上の放送時に、無線回線チャネルを一旦解放して一度音声が途切れた場合でも、チャネル再確保後に途中からではあるが、リアルタイムで放送を継続して行うことができる。
【００３５】
次に、本発明の実施形態２に係る無線通信システムにおいて、市町村同報系システム３０からの放送時に、市町村デジタル地区放送システム７０の無線回線チャネルをすぐに確保でき、５分以上の放送をする場合の動作シーケンスについて、図６を参照して説明する。
図６は、本発明の実施形態２に係る無線通信システムにおいて、市町村同報系システムからの放送時に、市町村デジタル地区放送システムの無線回線チャネルをすぐに確保でき、５分以上の放送をする場合の動作シーケンスを示す図であり、放送内容を優先した場合を示す。
なお、市町村同報系システム３０からの放送開始から放送５分経過前までのシーケンス（図６の一点鎖線内）は図３に示した動作シーケンスによる。
【００３６】
市町村デジタル地区放送システム７０では、チャネルを確保してから４分３０秒後に、放送卓５２からデジタル基地局５３に送信制御要求［チャネル再起動］を送信する（Ｓ４０１）。この時、放送卓５２で録音を開始する（Ｓ４０２）。
デジタル基地局５３は、無線回線チャネルを解放し（Ｓ４０３）、放送卓５２に状態通知［確保中］を送信する（Ｓ４０４）。この時、チャネルを解放するため、音声は戸別受信機６０にはいかない。
デジタル基地局５３は、ＣＨ１でキャリアモニタリングを行い（Ｓ４０５）、無線回線チャネルを再確保できたら、放送卓５２に状態通知［チャネル確保］を送信する（Ｓ４０６）。
放送卓５２は、放送の再生を開始する（Ｓ４０７）。
【００３７】
以上説明したように、本発明によれば、市町村同報系システム３０からの放送時に、市町村デジタル地区放送システム７０においてチャネル確保ができ、５分以上の放送時に、無線回線チャネルを一旦解放して一度音声が途切れた場合でも、チャネル再確保後に放送内容のはじめから追い掛け再生することができる。
【００３８】
次に、本発明の実施形態２に係る無線通信システムにおいて、市町村同報系システム３０からの放送時に、市町村デジタル地区放送システム７０の無線回線チャネルが所定の時間経過後に確保でき、５分以上の放送をする場合の動作シーケンスについて、図７を参照して説明する。
図７は、本発明の実施形態２に係る無線通信システムにおいて、市町村同報系システムからの放送時に、市町村デジタル地区放送システムの無線回線チャネルが所定の時間経過後に確保でき、５分以上の放送をする場合の動作シーケンスを示す図であり、さらに放送内容を優先した場合を示す。
なお、市町村同報系システム３０からの放送開始から放送５分経過前までのシーケンス（図７の一点鎖線内）は図４に示した動作シーケンスによる。
【００３９】
市町村デジタル地区放送システム７０では、チャネルを確保してから４分３０秒後に、放送卓５２からデジタル基地局５３に送信制御要求［チャネル再起動］を送信する（Ｓ５０１）。この時、放送卓５２で録音し続けているので、そのまま録音を続ける。再生は一時停止する。
デジタル基地局５３は、無線回線チャネルを解放し（Ｓ５０２）、放送卓５２に状態通知［確保中］を送信する（Ｓ５０３）。この時、チャネルを解放するため、音声は戸別受信機６０にはいかない。
デジタル基地局５３は、ＣＨ１でキャリアモニタリングを行い（Ｓ５０４）、無線回線チャネルが再確保できたら、放送卓５２に状態通知［チャネル確保］を送信する（Ｓ５０５）。
放送卓５２は、放送の再生を開始する（Ｓ５０６）。
【００４０】
以上説明したように、本発明によれば、市町村同報系システム３０からの放送時に、市町村デジタル地区放送システム７０においてチャネル確保ができ、５分以上の放送時に、無線回線チャネルを一旦解放して一度音声が途切れた場合でも、チャネル再確保後に放送内容のはじめから追い掛け再生することができる。
尚、本発明は、追い掛け再生ではなく、チャネル再確保後に途中からではあるが、リアルタイムで放送を継続して行ってもよい。
【００４１】
なお、上記実施の形態の構成及び動作は例であって、本発明の趣旨を逸脱しない範囲で適宜変更して実行することができることは言うまでもない。
【符号の説明】
【００４２】
１０：親局設備、１１：操作部ＰＣ、１２：操作卓、１３：デジタル基地局、２０：屋外子局、２０ａ：屋外拡声子局、２０ｂ：戸別受信機、３０：市町村同報系システム、５０：基地局設備、５１：遠隔操作装置、５２：放送卓、５２ａ：制御部、５２ｂ：記憶部、５２ｃ：マイク、５２ｄ：スピーカ、５２ｅ：操作表示部、５３：デジタル基地局、６０：戸別受信機、６２：戸別応答装置、７０：市町村デジタル地区放送システム、８０：電話機、１０１：ＬＡＮ回線、１０２：音声回線、１０３：シリアル回線、１０４：ＤＩＯ回線、２０１：ＬＡＮ回線、２０２：音声回線、２０３：シリアル回線、２０４：ＤＩＯ回線、３０１：公衆回線網。
【図１】
2015082688.tif 000003
【図２】
2015082688.tif 000004
【図３】
2015082688.tif 000005
【図４】
2015082688.tif 000006
【図５】
2015082688.tif 000007
【図６】
2015082688.tif 000008
【図７】
2015082688.tif 000009